(57)【要約】      （修正有）【課題】ワークの滑りや移動の防止に有効なバイスを提供する。【解決手段】バイス１１０は、ワーク台１０に底面２２が接触した状態でワーク台１０に固定される基台２０と、対向して配置され互いの間隔を調整可能な第１顎３０および第２顎４０とを有する。第１顎３０、第２顎４０には、それぞれ第１プレート３６、第２プレート４６が固定されていて、第１プレート３６および第２プレート４６によってワーク５０が把持される。第１プレート３６および第２プレート４６は、基台２０の底面２２に平行な水平保持面３６ａ、４６ａおよび底面２２に垂直な鉛直保持面３６ｂ、４６ｂを有し、ワーク５０は、水平保持面３６ａ、４６ａによって鉛直方向の位置が規制され、鉛直保持面３６ｂ、４６ｂによって水平方向の位置が規制される。【選択図】図３
2010260137.tif 000002
【特許請求の範囲】
【請求項１】
ワーク台に底面が接触した状態で前記ワーク台に固定される基台と、対向して配置され互いの間隔を調整可能な第１顎および第２顎とを有し、前記第１、第２顎にはそれぞれ第１、第２プレートが固定されていて、前記第１プレートおよび前記第２プレートによってワークを把持するバイスであって、
前記第１プレートおよび前記第２プレートは、前記基台の底面に平行な水平保持面および前記底面に垂直な鉛直保持面を有し、前記ワークは、前記水平保持面によって鉛直方向の位置が規制され、前記鉛直保持面によって水平方向の位置が規制される、
ことを特徴とするバイス。
【発明の詳細な説明】
【技術分野】
【０００１】
本発明は、ワークを把持するバイスに関する。
【背景技術】
【０００２】
ボール盤やフライス盤などの工作機械において、ワーク（加工対象物）を把持するためにバイス（把持具）が使用される。バイスは、ボルト等によって工作機械のワーク台に固定される。
【先行技術文献】
【特許文献】
【０００３】
【特許文献１】特開２００２−１２７０２５号公報
【発明の概要】
【発明が解決しようとする課題】
【０００４】
図１および図２は、工作機械のワーク台に固定可能な一般的なバイスを示す斜視図である。バイス１００は、工作機械のワーク台１０にボルト２６等によって固定される基台２０と、対向して配置され互いの間隔を調整可能な第１顎３０および第２顎４０とを有する。第１顎３０、第２顎４０には、それぞれ第１プレート３２、第２プレート４２がボルト等によって固定されている。第１顎３０は、基台２０に固定され、または、基台２０と一体成形されている。第２顎４０は、基台２０に対して移動可能に構成されていて、ハンドル４５を回転させることによって移動して、これによって第１顎３０に固定されている第１プレート３２と第２顎４０に固定されている第２プレート４２との間隔が調整されうる。第２顎４０の位置は、例えば固定機構４６によって固定されうる。ワーク５０は、図１に示すように、第１プレート３２および第２プレート４２によって把持される。
【０００５】
一般に、第１プレート３２および第２プレート４２の表面は、平坦である。したがって、特に、第１プレート３２および第２プレート４２によって薄いワーク５０を把持している場合には、ワーク５０が第１プレート３２および第２プレート４２に対して滑りやすい。そのため、ドリルビットなどのビット７０によってワーク５０に力が加わったときに、図２に例示するようにワーク５０が傾いたり移動したりしうる。
【０００６】
本発明は、上記の課題認識を契機としてなされたものであり、ワークの滑りや移動の防止に有利なバイスを提供することを目的とする。
【課題を解決するための手段】
【０００７】
本発明は、バイスに係り、前記バイスは、ワーク台に底面が接触した状態で前記ワーク台に固定される基台と、対向して配置され互いの間隔を調整可能な第１顎および第２顎とを有し、前記第１、第２顎にはそれぞれ第１、第２プレートが固定されていて、前記第１プレートおよび前記第２プレートによってワークを把持する。前記第１プレートおよび前記第２プレートは、前記基台の底面に平行な水平保持面および前記底面に垂直な鉛直保持面を有し、前記ワークは、前記水平保持面によって鉛直方向の位置が規制され、前記鉛直保持面によって水平方向の位置が規制される。
【発明の効果】
【０００８】
本発明によれば、ワークの滑りや移動の防止に有利なバイスが提供される。
【図面の簡単な説明】
【０００９】
【図１】工作機械のワーク台に固定可能な一般的なバイスを示す斜視図である。
【図２】工作機械のワーク台に固定可能な一般的なバイスを示す斜視図である。
【図３】本発明の好適な実施形態のバイスの構成を示す斜視図である。
【発明を実施するための形態】
【００１０】
以下、添付図面を参照しながら本発明の好適な実施形態のバイスを説明する。
【００１１】
図３は、本発明の好適な実施形態のバイスの構成を示す斜視図である。バイス１１０は、工作機械のワーク台１０にボルト２６等によって固定される基台２０と、対向して配置され互いの間隔を調整可能な第１顎３０および第２顎４０とを有する。基台２０は、典型的には、ワーク台１０に設けられた固定用の溝１２を利用してワーク台１０に固定される。基台２０は、底面２２を有し、ワーク台１０の表面に底面２２が接触した状態でワーク台１０に固定される。ここで、底面２２とは、ワーク台１０の表面に接触する部分を意味する。
【００１２】
第１顎３０、第２顎４０には、それぞれ第１プレート３６、第２プレート４６がボルト等によって固定されている。第１顎３０は、基台２０に固定され、または、基台２０と一体成形されている。第２顎４０は、基台２０に対して移動可能に構成されていて、ハンドル４５を回転させることによって移動して、これによって第１顎３０に固定されている第１プレート３６と第２顎４０に固定されている第２プレート４６との間隔が調整されうる。第２顎４０の位置は、例えば固定機構４６によって固定されうる。
【００１３】
ワーク５０は、図３に示すように、第１プレート３６および第２プレート４６によって把持される。ここで、第１プレート３６は、基台２０の底面２２に平行な水平保持面３６ａおよび底面２２に垂直な鉛直保持面３６ｂを有し、第２プレート４６は、基台２０の底面２２に平行な水平保持面４６ａおよび底面２２に垂直な鉛直保持面４６ｂを有する。図３に例示するように、ワーク５０は、水平保持面３６ａ、４６ａによって鉛直方向の位置が規制され、鉛直保持面３６ｂ、４６ｂによって水平方向の位置が規制される。水平保持面３６ａ、４６ａと鉛直保持面３６ｂ、４６ｂとは、段差を構成するように配置されうる。
【００１４】
ワーク５０の鉛直方向の位置を水平保持面３６ａ、４６ａによって規制することによって、ドリルビット等のビットによってワーク５０に力が加わっても、それによってワークが滑ったり移動したりすることが防止される。
【符号の説明】
【００１５】
１０  ワーク台
１２  溝
２０  基台
２２  底面
２６  ボルト
３０  第１顎
３２、３６  第１プレート
３６ａ  水平保持面
３６ｂ  鉛直保持面
４０  第２顎
４２、４６  第２プレート
４５  ハンドル
４６ａ  水平保持面
４６ｂ  鉛直保持面
５０  ワーク
７０  ビット
１００、１１０  バイス
【図１】
2010260137.tif 000003
【図２】
2010260137.tif 000004
【図３】
2010260137.tif 000005